(57)【特許請求の範囲】
【請求項１】
互いの対向端面どうしを接合することにより一つのケース全体あるいは該ケースの一部を構成する一対の金属製の分割ケースと、
一対の該分割ケースの表面にそれぞれ接触する単一の連結部材と、
一対の上記分割ケースにそれぞれ穿設した、上記対向端面どうしを接合したときに互いの対向縁部の対向距離がその位置に応じて変化する貫通孔と、
上記連結部材に突設した、対向する上記貫通孔を上記分割ケースの表面側から裏面側に貫通する貫通片、及び、該貫通片に突設した上記分割ケースの裏面に係止する係止片、を有する樹脂からなる一対の係止爪と、を備え、
一対の上記対向縁部に、一対の分割ケースの上記対向端面どうしを接合したときに両者の対向距離が一対の上記貫通片の対向面間距離より狭くなる狭幅部と、該対向面間距離と等しくなり一対の上記貫通片が接触する接触部と、を形成したことを特徴とする分割ケースの結合構造。
【請求項２】
請求項１記載の分割ケースの結合構造において、
一対の上記分割ケースの上記対向端面が共に直線形状であり、
一対の上記貫通孔の上記対向縁部が共に直線形状をなし、かつ、少なくとも一方の該対向縁部が上記分割ケースの上記対向端面に対して非平行である分割ケースの結合構造。
【請求項３】
請求項２記載の分割ケースの結合構造において、
一対の上記対向縁部が共に上記分割ケースの上記対向端面に対して非平行であり、かつ該対向端面に関して対称形状をなす分割ケースの結合構造。
【請求項４】
請求項１から３のいずれか１項記載の分割ケースの結合構造において、
上記分割ケースがカメラボディの外形を構成するものであり、
上記連結部材が、該カメラボディの表面に露出する飾り板である分割ケースの結合構造。
【請求項５】
請求項１から４のいずれか１項記載の分割ケースの結合構造において、
上記少なくとも一方の上記分割ケースに、上記貫通孔と位置を異ならせて固定部を形成し、
上記連結部材に、上記係止爪と位置を異ならせて、上記固定部に固定される被固定部を形成した分割ケースの結合構造。
【発明の詳細な説明】
【技術分野】
【０００１】
本発明は、互いの対向端面どうしを接合することにより一つのケース全体あるいは該ケースの一部を構成する一対の分割ケースどうしを、互いの対向端面どうしを接触させながら結合するための分割ケースの結合構造に関する。
【背景技術】
【０００２】
例えば、コンパクト型デジタルカメラのケース（カメラボディ）を、互いの対向端面どうしが接合する前後一対の分割ケースと、前後の分割ケースに穿設した複数の係合孔（貫通孔）にそれぞれ係合する複数の係合片を備えかつ前後の分割ケースの表面の一部（例えば上部）を覆う飾り板と、で構成することがある。
【特許文献１】特開２００６−２０２９１０号公報
【発明の開示】
【発明が解決しようとする課題】
【０００３】
上記のような構造の分割ケースは設計形状通りに精度よく成形しないと、前後の分割ケースと飾り板を一体化したときに、前後の分割ケースの間の対向端面の間に隙間が生じてしまう。
【０００４】
また、飾り板の係合片を前後の分割ケースの係合孔にそれぞれ係合しても、前後の分割ケースの対向端面どうしは接合しない。そのため、前後の分割ケースの対向端面どうしを接合させるためには、前後の分割ケースをカメラボディの構成要素であるフレーム部材にねじ固定したり、あるいは前後の分割ケースの対向端面どうしを接着しなければならなかった。
【０００５】
本発明は、分割ケース等を高い形状精度で製造しなくても、対をなす分割ケースどうしを両者の対向端面を接合した状態で簡単に結合できる分割ケースの結合構造を提供することを目的とする。
【課題を解決するための手段】
【０００６】
本発明の分割ケースの結合構造は、互いの対向端面どうしを接合することにより一つのケース全体あるいは該ケースの一部を構成する一対の金属製の分割ケースと、一対の該分割ケースの表面にそれぞれ接触する単一の連結部材と、一対の上記分割ケースにそれぞれ穿設した、上記対向端面どうしを接合したときに互いの対向縁部の対向距離がその位置に応じて変化する貫通孔と、上記連結部材に突設した、対向する上記貫通孔を上記分割ケースの表面側から裏面側に貫通する貫通片、及び、該貫通片に突設した上記分割ケースの裏面に係止する係止片、を有する樹脂からなる一対の係止爪と、を備え、一対の上記対向縁部に、一対の分割ケースの上記対向端面どうしを接合したときに両者の対向距離が一対の上記貫通片の対向面間距離より狭くなる狭幅部と、該対向面間距離と等しくなり一対の上記貫通片が接触する接触部と、を形成したことを特徴としている。
【０００７】
一対の上記分割ケースの上記対向端面が共に直線形状であり、一対の上記貫通孔の上記対向縁部が共に直線形状をなし、かつ、少なくとも一方の該対向縁部が上記分割ケースの上記対向端面に対して非平行であるのが好ましい。
【０００８】
さらに、一対の上記対向縁部が共に上記分割ケースの上記対向端面に対して非平行であり、かつ該対向端面に関して対称形状をなすのが好ましい。
【０００９】
上記分割ケースがカメラボディの外形を構成するものであり、上記連結部材が、該カメラボディの表面に露出する飾り板であるのが好ましい。
【００１０】
上記少なくとも一方の上記分割ケースに、上記貫通孔と位置を異ならせて固定部を形成し、上記連結部材に、上記係止爪と位置を異ならせて、上記固定部に固定される被固定部を形成するのが好ましい。
【発明の効果】
【００１１】
請求項１の発明によれば、一対の金属製分割ケースの各貫通孔に連結部材に突設した一対の係止爪をそれぞれ係合すると、係止爪の係止片が分割ケースの裏面に係止し、かつ、連結部材が一対の分割ケースの表面に接触するので、連結部材によって一対の分割ケースが結合する。
しかも、一対の係止爪の貫通片が対応する貫通孔の対向縁部の接触部にそれぞれ接触すると、一対の分割ケースが互いに近づきその対向端面どうしが互いに接合するので、ねじ固定や接着によることなく一対の分割ケースの対向端面どうしを接合できる。
【００１２】
さらに、一対の係止爪は樹脂製であり弾性変形可能なので、係止爪及び貫通孔の形状や成形位置が設計形状から多少ずれていても、一対の係止爪は対応する貫通孔に係合可能である。
また、一対の係止爪の貫通片を弾性変形させながら対応する貫通孔の対向縁部の接触部に接触させれば、一対の貫通片の弾性力により一対の分割ケースが互いに接近するので、一対の分割ケースをより確実に接合できる。
【００１３】
請求項２のように構成すれば、貫通孔の対向縁部が直線形状なので、係止爪の貫通片を対応する貫通孔の対向縁部（接触部）に係合させ易くなる。
【００１４】
請求項３のように構成すれば、一対の貫通孔の対向縁部が分割ケースの対向端面に関して対称形状をなすので、係止爪の貫通片への挿入、及び貫通孔の対向縁部（接触部）への係合をより簡単に行えるようになる。
【００１５】
請求項４のように構成すれば、カメラボディの装飾部材である飾り板を利用してカメラボディの分割ケースを結合できるようになる。
【００１６】
請求項５のように構成すれば、貫通孔と係止爪が係合した状態で分割ケースの固定部と連結部材の被固定部を固定すると、貫通孔と係止爪の係合状態が維持されるので、分割ケースの対向端面どうしの接合状態を維持できる。
【発明を実施するための最良の形態】
【００１７】
以下、本発明の一実施形態について添付図面を参照しながら説明する。なお、以下の説明中の前後方向及び左右方向は、図１及び図２の矢印方向を基準としている。
本実施形態は、本発明をコンパクト型デジタルカメラのカメラボディのケース１０の結合構造に適用したものである。
図１及び図２に示すように、中空の箱体であるケース１０は大きな構成要素として、前側分割ケース２０、後側分割ケース３０及び飾り板（連結部材）４０を具備している。
金属製の一体成形物である前側分割ケース２０はケース１０の前半部分を構成する部材であり、その前面には図示を省略した沈胴式レンズ鏡筒が没入するレンズ孔２１やフラッシュ窓孔２２等が穿設してある。前側分割ケース２０の裏面（後面）の上縁部近傍（上縁のやや下方）には左側水平片２３及び中央水平片２４が左右方向に並べて突設してある。また、前側分割ケース２０の裏面の右側部には右側突片２５が後ろ向きに突設してあり、前側分割ケース２０の裏面の下端部には底部突片２６が後ろ向きに突設してある。図示するように左側水平片２３、中央水平片２４及び底部突片２６の後縁部は総て左右方向に延びる直線であり、右側突片２５の後縁部は上下方向に延びる直線である。また、前側分割ケース２０の左側壁には切欠２７が形成してある。
図２、図４、図６及び図７に示すように、左側水平片２３には平面視略台形の貫通孔２８が穿設してある。図示するように、貫通孔２８における左側水平片２３の後縁部との対向縁部２９は左側水平片２３の後縁部と非平行な直線であり、右側から左側に向かうにつれて左側水平片２３の後縁部との対向距離（前後方向距離）が大きくなる。
【００１８】
金属製の一体成形物である後側分割ケース３０はケース１０の後半部分を構成する部材であり、その後面にはディスプレイ取付孔３１や操作ボタン取付孔３２等が穿設してある。後側分割ケース３０の裏面（前面）の上縁部近傍には左側水平片３３及び中央水平片３４が左右方向に並べて突設してある。また、後側分割ケース３０の裏面の右側部には右側突片３５が前向きに突設してあり、後側分割ケース３０の裏面の下端部には底部突片３６が前向きに突設してある。図示するように左側水平片３３、中央水平片３４、右側突片３５及び底部突片３６は左側水平片２３、中央水平片２４、右側突片２５及び底部突片２６とそれぞれ前後対称をなす形状であり、左側水平片３３、中央水平片３４及び底部突片３６の前縁部は総て左右方向に延びる直線であり、右側突片３５の前縁部は上下方向に延びる直線である。また、後側分割ケース３０の左側壁には切欠２７と前後対称をなす切欠３７が形成してある。
図２、図４、図６及び図７に示すように、左側水平片３３には貫通孔２８と前後対称形状をなす平面視略台形の貫通孔３８が穿設してある。即ち、貫通孔３８における左側水平片３３の前縁部との対向縁部３９は左側水平片３３の前縁部と非平行な直線であり、右側から左側に向かうにつれて左側水平片３３の前縁部との対向距離（前後方向距離）が大きくなる。
【００１９】
合成樹脂製の一体成形物である飾り板４０は前側分割ケース２０及び後側分割ケース３０の上面（表面）に取り付ける装飾部材である。
飾り板４０は左右方向に延びる部材であり、その下面の左端部には前後一対の係止爪４１が突設してある。係止爪４１は、飾り板４０の下面から下向きに延びる貫通片４２と、貫通片４２の下端から左方に延びる係止片４３とからなる。前側の係止爪４１の後面及び後側の４１の前面は共にカメラ光軸に対して直交する平面（垂直面）である。
また、飾り板４０の右端部には突片４５が下向きに突設してあり、この突片４５には円形貫通孔４６が穿設してある。
【００２０】
次に前側分割ケース２０、後側分割ケース３０及び飾り板４０を互いに組み付けてケース１０を構成する要領について説明する。
まず、図２に示すように前側分割ケース２０と後側分割ケース３０を前後方向に対向させ、左側水平片２３の後縁部と左側水平片３３の前縁部、中央水平片２４の後縁部と中央水平片３４の前縁部、右側突片２５の後縁部と右側突片３５の前縁部、及び底部突片２６の後縁部と底部突片３６の前縁部を互いに接合する。
次いで、飾り板４０をその左端部が右端部より下方に位置するように傾斜させながら前側分割ケース２０及び後側分割ケース３０の上面に接近させ、前後の係止爪４１の係止片４３を前側分割ケース２０の貫通孔２８と後側分割ケース３０の貫通孔３８にそれぞれ挿入する。このとき、前後の係止片４３は貫通孔２８及び貫通孔３８の左方部分ではなく右方部分に挿入する。これは、対向縁部２９と対向縁部３９の左方部分の対向距離が前後の係止爪４１の対向面間距離より長いので、前後の係止片４３を貫通孔２８及び貫通孔３８の左方部分に挿入しようとしても挿入できないが、対向縁部２９と対向縁部３９の右方部分である狭幅部２９ａ、３９ａ（図４、図７参照）の対向距離は前後の係止爪４１の対向面間距離より短いので貫通孔２８及び貫通孔３８の右方部分には挿入できるためである。
【００２１】
このようにして前後の係止片４３を貫通孔２８と貫通孔３８にそれぞれ挿入したら、飾り板４０の左端部をさらに下方に移動させて前後の貫通片４２を貫通孔２８及び貫通孔３８の右方部分に挿入する。そして、飾り板４０を前側分割ケース２０及び後側分割ケース３０に対して左方に相対移動させ、図５、図６及び図８に示すように、前後の貫通片４２を対向縁部２９及び対向縁部３９の左端部近傍である接触部２９ｂ、３９ｂ（図４参照）に接触するまで移動させる。
対向縁部２９及び対向縁部３９の接触部２９ｂ、３９ｂどうしの前後方向距離は前後の係止爪４１の対向面間距離（前後方向距離）と等しいので、前後の係止爪４１をこの位置まで移動させると、前後の係止爪４１から貫通孔２８の接触部２９ｂと貫通孔３８の接触部３９ｂに貫通孔２８と貫通孔３８を互いに接近させる方向の力が掛かるので、左側水平片２３の後縁部と左側水平片３３の前縁部の接合力が高まる。さらにこのとき、中央水平片２４の後縁部と中央水平片３４の前縁部、右側突片２５の後縁部と右側突片３５の前縁部、底部突片２６の後縁部と底部突片３６、及び前側分割ケース２０の左側壁の後面と後側分割ケース３０の左側壁の前面の接合力も高まる。
また、前後の係止爪４１が図５、図６及び図８に示す位置まで移動すると、前後の係止片４３が左側水平片２３の裏面（下面）と左側水平片３３の裏面（下面）に接触し、かつ飾り板４０の下面が左側水平片２３の上面と左側水平片３３の上面にそれぞれ接触するので（図８参照）、飾り板４０と前側分割ケース２０及び後側分割ケース３０が互いに結合する。
【００２２】
図９に示すように、前側分割ケース２０の右側縁部と後側分割ケース３０の右側縁部にはそれぞれ金属製の突片２０ａと突片３０ａが一体的に突設してあり、突片２０ａと突片３０ａには同じ形状の円形貫通孔２０ｂ（固定部）と円形貫通孔（固定部）３０ｂがそれぞれ穿設してある。さらに、突片２０ａと突片３０ａは円形貫通孔２０ｂと円形貫通孔３０ｂが互いに同心をなす状態で互いに左右方向に重なっており、かつ突片２０ａの左側面はカメラボディ内部（前側分割ケース２０と後側分割ケース３０の間）に不動状態で内蔵した（ズームレンズ駆動機構を収納する）ハウジング５０の右側面に突設した円柱突部５１の右端面に当接している。この円柱突部５１の右端面には図示を省略した雌ねじ孔（固定部）が形成してあり、この雌ねじ孔は円形貫通孔２０ｂ及び円形貫通孔３０ｂと同心をなしている。
前後の係止爪４１が図５、図６及び図８に示す位置まで移動することにより飾り板４０と前側分割ケース２０及び後側分割ケース３０が互いに結合すると、飾り板４０の突片４５に穿設した円形貫通孔４６が円形貫通孔２０ｂ、３０ｂ及び円柱突部５１の雌ねじ孔と同心をなす。従って、突片４５の右側から円形貫通孔４６、円形貫通孔２０ｂ及び円形貫通孔３０ｂに挿入したボルト（図示略）を円柱突部５１の雌ねじ孔に螺合することにより飾り板４０（突片４５）、前側分割ケース２０（突片２０ａ）及び後側分割ケース３０（突片３０ａ）を互いに固定できる。なお、飾り板４０を前側分割ケース２０および後側分割ケース３０に固定すると、飾り板４０はケース１０の表面に露出することになる。
このように飾り板４０の右端部が前側分割ケース２０及び後側分割ケース３０の右端部に対して固定されると、前後の係止爪４１の係止片４３と左側水平片２３及び左側水平片３３の下面との係合状態が維持されるので、前後の係止爪４１の貫通孔２８と対向縁部２９からの抜け出しが防止される。従って、前側分割ケース２０と後側分割ケース３０の結合状態が維持される。
この後、前側分割ケース２０及び後側分割ケース３０の右側面と底面、さらに前側分割ケース２０の切欠２７と後側分割ケース３０の切欠３７の間に形成された開口を、図示を省略した装飾部材でそれぞれ塞げば、ケース１０が完成する。
【００２３】
以上説明したように本実施形態によれば、装飾部材である飾り板４０を利用して前側分割ケース２０と後側分割ケース３０を互いの対向端面を接合しながら結合できる。従って、従来技術に比べて前側分割ケース２０と後側分割ケース３０を両者の対向端面を接合しながら簡単に結合できる。
合成樹脂製である前後の係止爪４１は弾性変形可能なので、前側分割ケース２０の貫通孔２８、後側分割ケース３０の貫通孔３８、または前後の係止爪４１の形状精度が多少低くても、前後の係止爪４１を前側分割ケース２０の貫通孔２８と後側分割ケース３０の貫通孔３８にそれぞれ係合でき、前側分割ケース２０と後側分割ケース３０の対向端面どうしを確実に接合できる。
さらに、飾り板４０が図５、図６及び図８に示す位置まで移動したときに、前後の係止爪４１が貫通孔２８の対向縁部２９と貫通孔３８の対向縁部３９に弾性変形しながら接触するようにすれば、この弾性力により前側分割ケース２０と後側分割ケース３０が互いに接近するので、前側分割ケース２０と後側分割ケース３０をより確実に接合できるようになる。
【００２４】
また、本実施形態では貫通孔２８と貫通孔３８を前後対称に構成しているので、係止爪４１の貫通孔２８と貫通孔３８への挿入作業、及び係止爪４１の対向縁部２９と対向縁部３９への係合作業を簡単に行うことが可能である。
さらに、本実施形態では貫通孔２８の対向縁部２９と貫通孔３８の対向縁部３９が共に直線形状なので、直線形状でない場合に比べて前後の貫通片４２を対向縁部２９と対向縁部３９に係合させ易いという利点がある。
【００２５】
以上、各実施形態に基づいて本発明を説明したが、本発明は上記実施形態に限定されるものではなく、様々な変更を施しながら実施可能である。
例えば、貫通孔２８の対向縁部２９と貫通孔３８の対向縁部３９の一方のみを左側水平片２３の後縁部（左側水平片３３の前縁部）と非平行にし他方を平行にしたり、あるいは貫通孔２８と貫通孔３８を非対称形状にしてもよい。
また、突片２０ａと突片２０ｂの一方を省略してもよい。
また、飾り板４０を弾性材料である天然樹脂により成形したり、係止爪４１を飾り板４０本体とは別部材として成形した後に両者を一体化してもよい。
また、本発明をコンパクト型デジタルカメラのケース１０以外のケースに適用してもよい。さらに、対をなす分割ケースを、結合したときの完成体であるケースの全体ではなく一部（例えばケースの上半部）を構成するものとして実施してもよい。
【図面の簡単な説明】
【００２６】
【図１】本発明の一実施形態におけるカメラボディのケースを前方から見た斜視図である。
【図２】カメラボディのケースの上方から見た分解斜視図である。
【図３】飾り板の下方から見た斜視図である。
【図４】飾り板を取り外したときのカメラボディのケースの平面図である。
【図５】後側分割ケースと飾り板の下方から見た斜視図である。
【図６】図１のVI−VI矢線に沿う断面図である。
【図７】図６のVII部の拡大図である。
【図８】図６のVIII−VIII矢線に沿う断面図である。
【図９】飾り板を取り外したときのカメラボディの右側から見た斜視図である。
【符号の説明】
【００２７】
１０    ケース
２０    前側分割ケース（分割ケース）
２０ａ  突片
２０ｂ  円形貫通孔
２１    レンズ孔
２２    フラッシュ窓孔
２３    左側水平片
２４    中央水平片
２５    右側突片
２６    底部突片
２７    切欠
２８    貫通孔
２９    対向縁部
２９ａ  狭幅部
２９ｂ  接触部
３０    後側分割ケース（分割ケース）
３０ａ  突片
３０ｂ  円形貫通孔
３１    ディスプレイ取付孔
３２    操作ボタン取付孔
３３    左側水平片
３４    中央水平片
３５    右側突片
３６    底部突片
３７    切欠
３８    貫通孔
３９    対向縁部
３９ａ  狭幅部
３９ｂ  接触部
４０    飾り板（連結部材）
４１    係止爪
４２    貫通片
４３    係止片
４５    突片（被固定部）
４６    円形貫通孔
５０    ハウジング
５１    円柱突部
【図１】
0005054475.tif 000002
【図２】
0005054475.tif 000003
【図３】
0005054475.tif 000004
【図４】
0005054475.tif 000005
【図５】
0005054475.tif 000006
【図６】
0005054475.tif 000007
【図７】
0005054475.tif 000008
【図８】
0005054475.tif 000009
【図９】
0005054475.tif 000010